(57)【要約】【課題】自転車走行練習装置において、実際の走行に近いハンドル操作の感覚の装置を提供する物である。【解決手段】フレーム３０１・３０２には平行に配置した後輪ローラー後１０１及び後輪ローラー前１０２を自転車Ｂの後輪Ｂ２の外形に合わせた間隔で配置する、後輪ローラー前１０２と前端ローラー１０３は自転車Ｂのホイールベースにより長い間隔で配置して平ベルト５でベルト伝動可能にする。自転車Ｂで走行すると後輪Ｂ２より後輪ローラー後１０１及び後輪ローラー前１０２に回転力が伝わる、この回転力が平ベルト５を前端ローラー１０３を介して上面が乗員１の前方から後方に移動し自立走行可能にする。【選択図】図１
2018094357.tif 000002
【特許請求の範囲】
【請求項１】
フレームに平行に配置した、後輪用ローラーと前端のローラーとを平ベルトで回転自在に連動させ、ベルトの上面の平面部に自転車の前車輪を配置して、平坦な路面を走行する時と同じタイヤの復元力を得て、通常の走行に近いハンドル操作で乗車出来る自転車走行練習装置。
【請求項２】
前記自転車走行練習装置の前ローラーに負荷機構を装備して、負荷に応じて平ベルト上面の張力が上り、前輪の接触部を平面に維持する自転車走行練習装置。
【発明の詳細な説明】
【技術分野】
【０００１】  本発明は、自転車の後輪の前後に配置した回転自在なローラー上で、前輪タイヤが真上に接地する位置に前ローラーを配置する、乗員のペダル踏力を後輪ローラーからベルトなどで伝達して前ローラーを回転させ、これにより前輪を回転し自転車を自立走行可能にして、自転車の位置を固定して練習をすることができるようにした自転車走行練習装置に関する。
【背景技術】
【０００２】  実公開平２−７７０６０号公報の図１及び図３に示すように、従来の自転車走行練習装置は、後２本・前１本のローラーにより構成され、ペダルを回動することにより、後輪の２本のローラーを回転させると共に、ベルトの伝動により前輪ローラーを従動させて、その場で自転車の自立走行練習ができるような装置、以降は３本ローラーと記すが実用化されている。
【先行技術文献】
【特許文献１】実公開平２−７７０６０号公報
【０００３】  また、特公昭５０−７１４２５号公報に示す自転車走行練習装置は、前輪ローラーをモーターなどの動力で回転させる。
【０００４】
【特許文献２】特公昭５０−７１４２５号公報
【発明の概要】
【発明が解決しようとする課題】
【０００５】この様な３本ローラーにおいては前輪が１本のローラーに接地して回転して、ハンドル操作によりローラー上を左右に移動可能することにより、乗員がバランスを保ち、自転車の自立走行練習が可能にしているが次の問題が有った。【０００６】  前記３本ローラーでは前輪が前部ローラー上に有り、接地面が円弧上の一点となる。しかし、通常の路面は平面であるそのため、路上とは前輪タイヤの接地圧と復元力が異なり、実際に平坦な路面を走行する時とはハンドル操作の感覚が異なる【０００７】前記３本ローラーでは前輪中心軸がローラーに対して直上に乗るように位置を調整しなければならないが、高い回転数でペダルを踏む自立走行練習を行うと、乗員の体重移動により前後に自転車が動きローラーに接地している部分も前後移動する、これにより前輪の回転軸と接地点が移動するとハンドルを回転させる力が加わり、ハンドルが取られ自立走行する事が困難になる、最悪の場合では自転車がローラーから外れ前か後に落ちる。【０００８】上り坂で大きなペダル踏力を得るためにサドルに座らずに立ち漕ぎ（ダンシング）を、前記３本ローラーで行うと、自転車を左右に振ってペダルを踏むと、ハンドルを切ることにより前輪のローラーに接地している部分と後輪の接地部の距離が短くなる、これによりハンドルを回転させる力が加わり、バランスをとり自立走行する事が困難になる。
【課題を解決するための手段】
【０００９】本発明の自転車走行練習装置は、上記課題を達成するため、ローラー保持フレームに平行に配置した、後輪用ローラーと前端のローラーとを平ベルトで回転自在に連動させ、ベルトの上面の平面部に前車輪配置して、平坦な路面を走行する時と同じタイヤの復元力を得る物である。【００１０】前記機構により、後輪に連動して走行速度と同じ速さで移動するベルトの上面を平坦な路面を走行する時と同じな前輪のタイヤの復元力、同じジャイロ効果を得て安定した自転車走行練習が可能である。【００１１】自転車を左右に振ってペダルを踏む立ち漕ぎ（ダンシング）の自立走行練習でも、ハンドルを左右に切る走行でも接地点は平面であり前輪回転軸とずれる事はなく実際の路面と同じハンドル操作で自立走行練習が出来る。
【発明を実施するための形態】
【００１２】本考案の実施例を図面を参照しながら具体的に説明すると。
図１は本考案の使用状態で、床面にフレーム右３０１・フレーム左３０２が接地される、このフレームと床面の接地部は高さを調整可能な調整式ゴム足３１０などを使用してゴムなどの弾性体で振動を防ぐ。
【００１３】図面には表記していないが、上り坂の状態を模した自立走行練習には調整式ゴム足３１０を高さ変更可能なアクチェーターに換え、平ベルト５の抵抗と上り坂の勾配を制御して、実際の上り坂に近い状態で踏む立ち漕ぎ（ダンシング）の自立走行練習が可能になる。
【００１４】フレーム３０１・３０２には平行に配置した後輪ローラー後１０１及び後輪ローラー前１０２を自転車Ｂの後輪Ｂ２の外形に合わせた間隔で配置する、後輪ローラー前１０２と前端ローラー１０３は自転車Ｂのホイールベースにより長い間隔で配置して平ベルト５でベルト伝動可能にする。
【００１５】乗員１は自転車Ｂに乗車して、走行すると後輪Ｂ２より後輪ローラー後１０１及び後輪ローラー前１０２に回転力が伝わる、この回転力が平ベルト５を前端ローラー１０３を介して上面が乗員１の前方から後方に移動させる。
【００１６】平ベルト５の移動により接地する前車輪Ｂ１の回転は後輪Ｂ２と同じに回転するので、前車輪Ｂ１のジャイロ効果は乗員１が通常の路面を走行するのと同じになり、同じ位置で通常の走行と同じ操作感で自立走行練習が可能になる。
【００１７】補助ローラー１０４は平ベルト５に前車輪Ｂ１が接地する部分の荷重により沈み込みを防ぐ物で、図では４本で有るが、使用する自転車のホイールベースに応じ前車輪Ｂ１が接地する部分に適切に配置する。
【００１８】補助ローラー１０４から後輪ローラー前１０２までの間には足付き板右２１１・足付き板左２１２を平ベルト５の下に配置して、自転車Ｂに乗車、降車するときに足付き時に平ベルト５の下への沈み込みを無くし乗降時の違和感を無くす。
【００１９】平ベルト５の張りは前端ローラー１０３の軸をアジャスター４０１により後輪ローラー前１０２との距離を調整して行う。
【００２０】図面には表記していないが、本実施形態に負荷機構は前端ローラー１０３に装備される、負荷を大きくすると前端ローラー１０３の回転が重くなり、これに対応して乗員１はペダルを強く踏み込み後輪Ｂ２とそれに連動する、後輪ローラー前１０２の回転を維持するので、負荷が大きくなれば応じて平ベルト５の上面の張力が上るので、補助ローラー１０４への平ベルト５の前車輪Ｂ１の荷重による圧力が減少し、走行面がより平滑になる。
【発明の効果】
【００２１】本発明は、自転車走行練習装置において、実際の走行に近いハンドル操作の感覚の装置を提供する物である。
【００２２】ロードレース用自転車などの一般的で無い自転車に最初に乗車するには、足をペダルに固定するビンディングペダルやブレーキレバー一体式変速レバーの操作などを習得して、一般道路を走行するのが望まし、この習得を自転車が実際に路面を走行しないで、平坦な路面を走行する時と同じハンドル操作の感覚で安全な室内などで自立走行練習を可能にする。
【図面の簡単な説明】
【図１】本発明の実施形態に係る自転車走行練習装置及び使用状態の自転車と乗員の実施例を示す全体の斜視図。
【図２】図１に示した自転車走行練習装置の平面図。
【図３】図２に示したＡＡ線断面図である。
【符号の説明】１・・・乗員、Ｂ・・・自転車、Ｂ１・・・前車輪、Ｂ２・・・後車輪、
１０１・・・後輪ローラー後、１０２・・・後輪ローラー前、１０３・・・前端ローラー、
１０４  補助・・・ローラー、２１１・・・足付き板右、２１２・・・足付き板左、
３０１・・・フレーム右、３０２・・・フレーム左、３１０・・・調整式ゴム足、
４０１・・・アジャスター、
５・・・平ベルト、
【図１】
2018094357.tif 000003
【図２】
2018094357.tif 000004
【図３】
2018094357.tif 000005